(57)【要約】【課題】  簡易な構成により、清掃ヘッドの近傍に液剤を吐出可能にすること。【解決手段】  柄１０の先端に清掃ヘッド３０を設け、柄１０のグリップ１１の側に手元操作部４０を設け、柄１０の先端側に吐出容器７０を設け、手元操作部４０に加える手操作により吐出容器７０のノズル７３から清掃ヘッド３０の側に液剤を吐出させる清掃具であって、吐出容器７０の容器本体７１にノズル７３を設け、このノズル７３の吐出方向が柄１０の中心軸に対してなす角度ａを鋭角にしたもの。【選択図】  図１
2006081692.tif 000002
【特許請求の範囲】
【請求項１】
柄の先端に清掃ヘッドを設け、柄のグリップの側に手元操作部を設け、柄の先端側に吐出容器を設け、手元操作部に加える手操作により吐出容器のノズルから清掃ヘッドの側に液剤を吐出させる清掃具であって、
吐出容器の容器本体にノズルを設け、このノズルの清掃ヘッドの側に向けた吐出方向が柄の中心軸に対してなす角度を鋭角にした清掃具。
【請求項２】
前記柄の先端に自在継手を介して清掃ヘッドを連結した請求項１に記載の清掃具。
【請求項３】
前記自在継手が、清掃ヘッドの上面の前後２位置に起立させた第１支持部と、柄の先端の左右に二股状をなすように突出させた第２支持部と、第１支持部と第２支持部を交差状に連結する連結部材とを有する請求項２に記載の清掃具。
【請求項４】
前記柄の中心軸に対する手元操作部の取付位置を180度切換えできる請求項２又は３に記載の清掃具。
【発明の詳細な説明】
【技術分野】
【０００１】
本発明は清掃具に関する。
【背景技術】
【０００２】
特許文献１に記載の如く、湿式拭き用清掃具として、柄の先端の清掃ヘッドの近傍に、開閉弁を備えてヘッド圧により液剤を吐出可能にする吐出容器を設け、柄の手元操作部に加える手操作により開閉弁を開き、該吐出容器のノズルから清掃ヘッドの側に液剤を吐出させるものがある。吐出容器は容器本体の開口を下向きにする倒立状態で柄に取付けられ、容器本体の開口にチューブを介して接続されたノズルを清掃ヘッドに取付けている。
【特許文献１】ＰＣＴ  WO 01/72195 A1
【発明の開示】
【発明が解決しようとする課題】
【０００３】
特許文献１の清掃具では、容器本体にチューブを介して接続されたノズルを清掃ヘッドに取付けたから、液剤を確実に清掃ヘッドの近傍に吐出し、清掃作業効率の向上を図ることができる。
【０００４】
ところが、特許文献１の清掃具では、容器本体の近傍に液剤を吐出可能にするために、容器本体の開口にチューブを介してノズルを接続し、このノズルを清掃ヘッドに導いて取付けるという複雑な構成を必要とする。
【０００５】
本発明の課題は、簡易な構成により、清掃ヘッドの近傍に液剤を吐出可能にすることにある。
【課題を解決するための手段】
【０００６】
請求項１の発明は、柄の先端に清掃ヘッドを設け、柄のグリップの側に手元操作部を設け、柄の先端側に吐出容器を設け、手元操作部に加える手操作により吐出容器のノズルから清掃ヘッドの側に液剤を吐出させる清掃具であって、吐出容器の容器本体にノズルを設け、このノズルの清掃ヘッドの側に向けた吐出方向が柄の中心軸に対してなす角度を鋭角にしたものである。
【発明を実施するための最良の形態】
【０００７】
清掃具１は、図１に示す如く、柄１０の先端に自在継手２０を介して清掃ヘッド３０を設け、柄１０のグリップ１１の側に手元操作部４０を設け、柄１０の先端側に押圧ポンプ式吐出容器７０及びポンプ押圧具６０を設け、手元操作部４０をポンプ押圧具６０に連結する連結部材５０を柄１０に沿って設けてある。これにより、清掃具１は、手元操作部４０に加える手操作により連結部材５０とポンプ押圧具６０を介して押圧ポンプ式吐出容器７０を押圧し、吐出容器７０から清掃ヘッド３０の側に液剤を吐出させる。
【０００８】
以下、柄１０、自在継手２０及び清掃ヘッド３０の構造、手元操作部４０、連結部材５０及びポンプ押圧具６０の構造、押圧ポンプ式吐出容器７０の構造について順に説明する。
【０００９】
（柄１０、自在継手２０及び清掃ヘッド３０の構造）（図１、図２）
柄１０は、図１に示す如く、グリップ１１と先端アダプタ１２を有するとともに、グリップ１１と先端アダプタ１２の間に設けられる複数本、本実施形態では第１〜第３の3本のパイプ１３、１３、１３を有する。
【００１０】
柄１０は、図１に示す如く、グリップ１１に一体結合した接続具１１Ａに第１のパイプ１３を着脱可能に接続し、第１のパイプ１３に一体結合した接続具１３Ａに第２のパイプ１３を着脱可能に接続し、第２のパイプ１３に一体結合した接続具１３Ａに第３のパイプ１３を着脱可能に接続し、第３のパイプ１３に一体結合した接続具１３Ａに先端アダプタ１２を着脱可能に接続する。
【００１１】
先端アダプタ１２は、先端に設けた自在継手２０に清掃ヘッド３０を連結し、清掃ヘッド３０を先端アダプタ１２の先端部において前後左右に自在に回動可能にする。自在継手２０は、図１、図２に示す如く、清掃ヘッド３０の上面中央部で相対する２位置、本実施例では清掃具１による清掃進み方向に沿う前後２位置に起立させた第１支持部２１、２１と、柄１０の先端で二股状をなすように、本実施例では清掃具１による清掃進み方向に直交する左右に二股状をなすように突出させた第２支持部２２、２２と、第１支持部２１と第２支持部２２を交差状に連結する連結部材２３とを有する。第１支持部２１と第２支持部２２を連結部材２３にて交差状に連結することで、柄１０を清掃ヘッド３０に対して前後左右の４方向へ自在に回動でき、更に柄１０を左右に振ることで清掃ヘッド３０の向きを清掃具１の清掃進み方向に向けることができる。
【００１２】
清掃ヘッド３０は、図１、図２に示す如く、ベース３１の底部まわりに清掃シートを巻付け可能にし、この清掃シートを係止可能にするシート係止具３２をベース３１の上面の４隅に備える。清掃ヘッド３０は、吐出容器７０から吐出される液剤を含浸させた清掃シートにより床面を湿式拭き可能にする他、液剤を含浸させない清掃シートにより床面を乾式拭き可能にする。
【００１３】
尚、清掃ヘッド３０は、清掃シートを伴なうことを必須とせず、ベース３１の底部にスポンジシート等を取付けても良い。
【００１４】
（手元操作部４０、連結部材５０及びポンプ押圧具６０の構造）（図１、図２）
柄１０のグリップ１１は、図１に示す如く、レバー状の手元操作部４０をピン結合（ピン４０Ａ）するとともに、手元操作部４０の一端連結部に衝合する駆動ロッド４１をグリップ１１の孔内面に沿って軸方向摺動可能に内挿する。
【００１５】
柄１０の先端アダプタ１２は、図１、図２に示す如く、レバー状のポンプ押圧具６０をピン結合（ピン６０Ａ）する。先端アダプタ１２は、従動ロッド６１を先端アダプタ１２の孔内面に沿って軸方向摺動可能に内挿し、従動ロッド６１の先端部をポンプ押圧具６０の一端連結部に衝合（又はピン結合）する。
【００１６】
第１〜第３のパイプ１３の内部には連結部材５０が内挿され、図１に示す如く、グリップ１１の手元操作部４０による駆動ロッド４１の軸方向変位が連結部材５０を介して先端アダプタ１２の内部の従動ロッド６１に伝えられ、ポンプ押圧具６０を揺動操作可能にする。このとき、連結部材５０は、互いに連結状をなす複数本、本実施例では第１〜第３の３本のロッド５１、５１、５１からなり、各ロッド５１は前述の第１〜第３の各パイプ１３のそれぞれに内挿される。第１のパイプ１３に内挿される第１のロッド５１がグリップ１１の駆動ロッド４１の先端部に連結し、第２のパイプ１３に内挿される第２のロッド５１の一端部が第１のロッド５１の他端部に連結し、第３のパイプ１３に内挿される第３のロッド５１の一端部が第２のロッド５１の他端部に連結し、第３のロッド５１の他端部が先端アダプタ１２の従動ロッド６１の基端部に連結し、結果として、駆動ロッド４１と従動ロッド６１が第１〜第３のロッド５１（連結部材５０）により連結される。
【００１７】
手元操作部４０は、手元操作部４０が設けられているグリップ１１を第１のパイプ１３との接続部（接続具１１Ａ）で回転でき、柄１０の中心軸に対する取付位置を180度切換えできる。図１（Ａ）は手元操作部４０の取付位置を柄１０の中心軸に関して吐出容器７０の取付位置と反対側に設定した清掃具１の前進清掃形態を示し、図１（Ｂ）は手元操作部４０の取付位置を柄１０の中心軸に関して吐出容器７０と同じ側に設定した清掃具１の後退清掃形態を示す。
【００１８】
（押圧ポンプ式吐出容器７０）（図１〜図３）
吐出容器７０は、図３に示す如く、洗剤液等の液剤を収容可能にする容器本体７１と、容器本体７１に設けたポンプ押動ヘッド７２とからなり、ポンプ押動ヘッド７２にノズル７３を備える。容器本体７１は内容液を詰替えできる。清掃具１にあっては、吐出容器７０が容器本体７１の上（鉛直方向の上位側）にノズル７３を位置させる正立状態で柄１０に取付けられる。
【００１９】
吐出容器７０は、図１、図２に示す如く、容器取付具８０を介して柄１０に着脱可能にされる。容器取付具８０は、柄１０に固定されて吐出容器７０を正立状態で支持する支持部８１と、ポンプ押圧具６０が吐出容器７０に及ぼすポンプ押圧力に対し吐出容器７０を保持する保持部８２とを備える。
【００２０】
容器取付具８０は、支持部８１を上開口８１Ａと下開口８１Ｂを有する概ね筒状体とし、筒状体の背面に柄１０への固定部８１Ｃを備える。下開口８１Ｂにはポンプ押圧具６０が位置付けられる。吐出容器７０は正立状態で上開口８１Ａから支持部８１に挿入可能にされ、支持部８１に挿入された吐出容器７０の底部を下開口８１Ｂに位置付けられているポンプ押圧具６０に載置させて預ける（図１）。
【００２１】
容器取付具８０は、図２に示す如く、支持部８１に保持部８２を枢支（枢支点８２Ａ）し、保持部８２の回転により支持部８１の上開口８１Ａを選択的に開放し（図２（Ａ））、又は閉じる（図２（Ｂ））。保持部８２は柄１０への抱持部８２Ｂを上端側に備え、支持部８１の上開口８１Ａを閉じた位置で二股状の抱持部８２Ｂの弾発的挟み力により柄１０の外周を抱持し、閉じ位置に停留される。閉じ位置に設定された保持部８２は、保持部８２の上端側の左右両側に設けた押さえ部８２Ｃにより吐出容器７０のポンプ押動ヘッド７２（ノズル７３）を上から押さえ保持する。このとき、押さえ部８２Ｃも抱持部８２Ｂとともに柄１０の外周に係合し、抱持部８２Ｂにかかる応力を軽減する。
【００２２】
ここで、吐出容器７０は、柄１０の外周の両側面に係合して清掃具１の清掃進み方向に対するノズル７３の吐出方向を規定し、かつ容器取付具８０の保持部８２により上から押さえて保持されるＵ字状係合片７４をポンプ押動ヘッド７２に備える。Ｕ字状係合片７４は、ポンプ押動ヘッド７２の側面から張り出した二股状突出片からなり、ポンプ押動ヘッド７２の押動安定性を確保するため、ポンプ押動ヘッド７２の上方位置よりも下方位置側に備えることが好ましい。また、Ｕ字状係合片７４における二股状突出片は、その間に柄１０を位置づけることができる間隔で形成される。ポンプ押動ヘッド７２は、Ｕ字状係合片７４の張り出し部を保持部８２に押さえられてノズル７３の高さ位置が固定される。
【００２３】
また、吐出容器７０は、図１に示す如く、柄１０に取付けられた状態で、ノズル７３の清掃ヘッド３０の側に向けた吐出方向が柄１０の中心軸に対してなす角度ａを鋭角とする。ノズル７３の吐出方向角度ａの好ましい範囲は0度〜60度、より好ましくは10度〜30度である。角度ａが0度のとき、ノズル７３の吐出方向は柄１０と平行になり、清掃ヘッド３０に最も近い位置に液剤を吐出できる。但し、ノズル７３の強度面からみると、ノズル７３は容器７０の側面から突出させることは好ましくなく、角度ａの実用的下限は10度とする。角度ａの上限は、液剤を清掃ヘッド３０に近い位置に吐出させようとする目的と、柄１０が通常の清掃時に床面に対してなす角度が60度〜70度であることによる。
【００２４】
従って、清掃具１は以下の如くに使用される。
清掃具１の物流段階、保管段階では、柄１０をグリップ１１、先端アダプタ１２、パイプ１３に分割し、清掃ヘッド３０、押圧ポンプ式吐出容器７０を柄１０から分離した各単体にする。各単体のグリップ１１、先端アダプタ１２、パイプ１３のそれぞれには駆動ロッド４１、従動ロッド６１、連結ロッド５１のそれぞれが内挿される。
【００２５】
清掃具１の使用時には、図１に示す如く、グリップ１１、先端アダプタ１２、パイプ１３を連結して柄１０を形成し、柄１０に清掃ヘッド３０、押圧ポンプ式吐出容器７０を取着する。このとき、柄１０の中心軸に関して手元操作部４０の取付位置を前述の如く180度切換えることにより、前進清掃形態（図１（Ａ））又は後退清掃形態（図１（Ｂ））のいずれかを形成する。
【００２６】
清掃具１の湿式拭きによる清掃動作時には、使用者は適時のタイミングで手元操作部４０により押圧ポンプ式吐出容器７０を押圧し、吐出容器７０の液剤を清掃ヘッド３０の前方又は後方の周辺に噴霧する。使用者が柄１０を介して清掃ヘッド３０を床面上で摺動させることにより、液剤が含浸した清掃シートにより床面を湿式拭きする。
【００２７】
清掃具１の乾式拭きによる清掃動作時には、使用者が、押圧ポンプ式吐出容器７０を押圧することなく、清掃ヘッド３０を床面上で摺動させることにより、乾燥状態にある清掃シートにより床面を乾式拭きする。このとき、柄１０から押圧ポンプ式吐出容器７０を取外せば、清掃具１を軽量化できる。
【００２８】
本実施形態によれば以下の作用効果を奏する。
(a)吐出容器７０の容器本体７１にノズル７３を設け、このノズル７３の吐出方向が柄１０の中心軸に対してなす角度ａを鋭角にしたから、液剤の吐出方向を柄１０に近づけ、液剤を清掃ヘッド３０の近傍に吐出し、清掃作業効率を向上できる。容器本体７１に設けたノズル７３の吐出方向を設定するだけの簡易な構成により、清掃ヘッド３０の近傍に液剤を吐出できる。
【００２９】
(b)柄１０の先端に自在継手２０を介して清掃ヘッド３０を連結したから、柄１０を清掃ヘッド３０に対して前後いずれの側に傾けて使用するかにより、清掃ヘッド３０の向こう側の床面に液剤を吐出して清掃ヘッド３０を前進させつつ清掃する前進操作作業（図４（Ａ）、図５）と、清掃ヘッド３０の手前側の床面に液剤を吐出して清掃ヘッド３０を後退させつつ清掃する後退清掃作業（図４（Ｂ）、図６）とを選択できる。
【００３０】
後退清掃作業によれば、清掃ヘッド３０の向こう側にある家具等に液剤をかけてしまうミスを回避できるし、清掃ヘッド３０によりワックス等の液剤が塗布された床面の上をそれら液剤が乾く前に歩行することがなく、清掃床面に足跡等の仕上がりムラを残すこともない。
【００３１】
(c)柄１０を清掃ヘッド３０に対して傾けた前進清掃時又は後退清掃時に、傾けた柄１０の先端に設けてある左右の二股状第２支持部２２が、清掃ヘッド３０の上面の前後の第１支持部２１のいずれか一方を左右から挟む。清掃ヘッド３０は、図７（Ａ）に示す如く、柄１０の二股状第２支持部２２により前後の第１支持部２１のいずれか一方を左右から挟まれる結果、柄１０に対して左右に振れにくくなり、前進操作時又は後退操作時における清掃ヘッド３０の直進安定性を向上できる。清掃ヘッド３０の近くに吐出された液剤を床面にこすりつけるように強い力を柄１０に加えて前進又は後退するときにも、清掃ヘッド３０の直進安定性を確保できる。
【００３２】
図７（Ｂ）は、柄１０の先端の前後に二股状第２支持部２２を設けたものであり、清掃ヘッド３０は柄１０に対して左右に振れ易い。
【００３３】
(d)柄１０の中心軸に対する手元操作部４０の取付位置を180度切換えできるようにしたから、前進操作時にも後退操作時にも、自転車のブレーキレバーをハンドルのグリップに対する下側に配置するように、手元操作部４０を柄１０のグリップ１１に対する下側に位置づけ、手元操作部４０の操作性を向上できる。
【００３４】
また、本発明によれば以下の作用効果も奏する。
(e)吐出容器７０が正立状態で柄１０に取付けられており、非使用時の液漏れのおそれが全くない。また、使用中の空気置換が円滑にできるし、容器本体７１の上側に設けられている空気置換口からの液漏れもない。従って、簡易構造の吐出容器７０を使用できる。
【００３５】
(f)容器取付具８０の存在により、吐出容器７０を正立状態で柄１０に容易に取付けできる。
【００３６】
(g)容器取付具８０が支持部８１と、支持部８１に枢支した保持部８２を備えることにより、保持部８２により開放された支持部８１の上開口８１Ａから該支持部８１に容器本体７１を正立状態で容易に挿入し、挿入された容器本体７１の底部を支持部８１の下開口８１Ｂの側でポンプ押圧具６０に載置させるように預け、閉じ位置に設定される保持部８２により吐出容器７０のノズル７３を上から押さえ保持する。従って、容器取付具８０の内部の吐出容器７０は、ノズル７３を保持部８２により上から保持される状態で、ポンプ押圧具６０により容器本体７１の底部を下から押上げられて押圧され、該ノズル７３から液剤を吐出する。
【００３７】
(h)吐出容器７０は、容器取付具８０の支持部８０の支持部８１に挿入されると同時に、ノズル７３が備える係合片７４を柄１０に係合するものとされ、清掃具１の進み方向に対するノズル７３の吐出方向が直ちに規定される。また、保持部８２を支持部８１に対する閉じ位置に設定すると同時に、保持部８２が直ちにノズル７３の係合片７４を上から押さえ保持するものとなる。使用者の格別な操作を必要とせずに、吐出容器７０を柄１０に対する正しい位置に簡易に取付けできる。
【００３８】
押圧ポンプ式吐出容器７０は、加工性に優れたプラスチック容器とすることができ、柄１０又は容器取付具８０に対して安定取付けできる形状を容易に採択できる。
【００３９】
図８、図９の清掃具１００は、図１〜図７の清掃具１に対する変形例であり、柄１１０の先端側に設ける吐出容器１７０を倒立タイプ（吐出容器１７０のノズル１７３を容器本体１７１の下方に配置するもの）としたものである。
【００４０】
清掃具１００は、図８に示す如く、柄１１０の先端に自在継手１２０を介して清掃ヘッド１３０を設け、柄１１０のグリップ１１１の側に手元操作部１４０を設け、柄１１０の先端側に押圧ポンプ式吐出容器１７０及びポンプ押圧具１６０を設け、手元操作部１４０をポンプ押圧具１６０に連結する連結部材１５０を柄１１０に沿って設けてある。これにより、清掃具１００は、手元操作部１４０に加える手操作により連結部材１５０とポンプ押圧具１６０を介して押圧ポンプ式吐出容器１７０を押圧し、吐出容器１７０のノズル１７３から清掃ヘッド１３０の側に液剤を吐出させる。
【００４１】
図９において、柄１１０の先端アダプタ１１２には、清掃具１における自在継手２０と同様の自在継手１２０を介して清掃ヘッド１３０が設けられる。吐出容器１７０は、容器本体１７１とポンプ押動ヘッド１７２を有し、ポンプ押動ヘッド１７２にノズル１７３を備える。吐出容器１７０は、容器取付具１８０を介して柄１１０に着脱可能にされる。容器取付具１８０は、吐出容器１７０が倒立状態で着脱自在に挿着される容器ホルダ１８１を有し、容器ホルダ１８１に容器本体１７１の底部を支持する支持部１８１Ａを備える。容器取付具１８０は、弾発力等によって着脱可能な状態で柄１１０に抱き付き状態で取付く把持部１８２を備える。
【００４２】
清掃具１００にあっても、吐出容器１７０が備えるノズル１７３の清掃ヘッド１３０の側に向けた吐出方向が柄１１０の中心軸に対してなす角度ａを、清掃具１におけると同様の鋭角にしている。
【図面の簡単な説明】
【００４３】
【図１】図１は清掃具を示し、（Ａ）は前進操作形態を示す側面図、（Ｂ）は後退清掃形態を示す側面図である。
【図２】図２は清掃具の要部を示し、（Ａ）は容器取付具の保持部を開いた斜視図、（Ｂ）は容器取付具の保持部を閉じた斜視図である。
【図３】図３は吐出容器を示す斜視図である。
【図４】図４は清掃具の使用状態を示し、（Ａ）は前進操作状態を示す斜視図、（Ｂ）は後退清掃状態を示す斜視図である。
【図５】図５は清掃具の前進清掃状態を示す側面図である。
【図６】図６は清掃具の後退清掃状態を示す側面図である。
【図７】図７は清掃具の直進安定性を示し、（Ａ）は安定状態を示す正面図、（Ｂ）は不安定状態を示す正面図である。
【図８】図８は清掃具の変形例を示す側面図である。
【図９】図９は清掃具の要部を示す斜視図である。
【符号の説明】
【００４４】
１、１００  清掃具
１０、１１０  柄
１１、１１１  グリップ
２０、１２０  自在継手
２１  第１支持部
２２  第２支持部
２３  連結部材
３０、１３０  清掃ヘッド
４０、１４０  手元操作部
７０、１７０  吐出容器
７１、１７１  容器本体
７３、１７３  ノズル
【図１】
2006081692.tif 000003
【図２】
2006081692.tif 000004
【図３】
2006081692.tif 000005
【図４】
2006081692.tif 000006
【図５】
2006081692.tif 000007
【図６】
2006081692.tif 000008
【図７】
2006081692.tif 000009
【図８】
2006081692.tif 000010
【図９】
2006081692.tif 000011